(57)【要約】  鉄筋コンクリート構造において、通常の帯鉄筋だけではなく、Ｖ字状の帯鉄筋やＵ字状の帯鉄筋などの特殊な形状の帯鉄筋を簡単な方法を用いて安定的に且つ強固に主筋に固定することのできる帯鉄筋固定具、ワンタッチ締め付け式帯鉄筋及び帯鉄筋固定具により帯鉄筋が係合された鉄筋コンクリート部材を提供すること。  垂直方向に配筋される主筋に前記主筋と垂直方向に係合されるＶ字状またはＵ字状の帯鉄筋を係合するための帯鉄筋固定具において、前記主筋の外周面を取り囲んで主筋に固定されるように上下が開放された筒状であって、前方の一方の側に主筋が嵌入するための嵌入部が上下に切り欠かれて形成される主筋固定部と、前記主筋固定部の上部の両側または下部の両側に係合されるものであり、Ｖ字状またはＵ字状の帯鉄筋が据え置かれる帯鉄筋据置き部と、を備えるが、前記帯鉄筋据置き部の外側の上端には、Ｖ字状またはＵ字状の帯鉄筋の上部に引っ掛かる係止部が配備されることを特徴とする帯鉄筋固定具。
2017515997.tif 000002
【特許請求の範囲】
【請求項１】
垂直方向に配筋される主筋に前記主筋と垂直方向に係合されるＶ字状またはＵ字状の帯鉄筋を係合するための帯鉄筋固定具において、
前記主筋の外周面を取り囲んで主筋に固定されるように上下が開放された筒状であって、前方の一方の側に主筋が嵌入するための嵌入部が上下に切り欠かれて形成される主筋固定部と、
前記主筋固定部の上部の両側または下部の両側に係合されるものであり、Ｖ字状またはＵ字状の帯鉄筋が据え置かれる帯鉄筋据置き部と、
を備えるが、
前記帯鉄筋据置き部の外側の上端には、Ｖ字状またはＵ字状の帯鉄筋の上部に引っ掛かる係止部が配備されることを特徴とする帯鉄筋固定具。
【請求項２】
前記主筋固定部の上部の後方または下部の後方には、帯鉄筋据置き部がさらに配備されることを特徴とする請求項１に記載の帯鉄筋固定具。
【請求項３】
前記後方に配備される帯鉄筋据置き部は、側断面がＣ字状に形成されて開放された部分にＶ字状またはＵ字状の帯鉄筋の折曲げ部が嵌入することを特徴とする請求項２に記載の帯鉄筋固定具。
【請求項４】
前記主筋固定部の内周面には、波形突部が形成されることを特徴とする請求項１に記載の帯鉄筋固定具。
【請求項５】
上下が開放された筒状であって、前方の一方の側が上下に切り欠かれて嵌入部が形成される補助主筋固定部が前記主筋固定部の上部に所定間隔離れるように配備され、前記主筋固定部及び補助主筋固定部は、連結部により互いに連結されることを特徴とする請求項１に記載の帯鉄筋固定具。
【請求項６】
前記帯鉄筋据置き部は、鋼材または合成樹脂材により作製されることを特徴とする請求項１に記載の帯鉄筋固定具。
【請求項７】
前記嵌入部の両端には、主筋の嵌入をガイドするガイド部が配備されることを特徴とする請求項１に記載の帯鉄筋固定具。
【請求項８】
Ｖ字状の帯鉄筋またはＵ字状の帯鉄筋と、
前記Ｖ字状の帯鉄筋またはＵ字状の帯鉄筋の折曲げ部に係合される請求項１乃至請求項７のうちのいずれか一項に記載の帯鉄筋固定具と、
を備えることを特徴とするワンタッチ締め付け式帯鉄筋。
【請求項９】
鉄筋コンクリート部材内に垂直方向に配筋される主筋と、
前記主筋と垂直方向に係合されるＶ字状またはＵ字状の帯鉄筋と、
前記Ｖ字状またはＵ字状の帯鉄筋を主筋に固定する請求項１乃至請求項７のうちのいずれか一項に記載の帯鉄筋固定具と、
を備えてなることを特徴とする帯鉄筋固定具により帯鉄筋が係合された鉄筋コンクリート部材。
【発明の詳細な説明】
【技術分野】
【０００１】
本発明は、鉄筋コンクリート構造において、通常の帯鉄筋だけではなく、Ｖ字状の帯鉄筋やＵ字状の帯鉄筋などの特殊な形状の帯鉄筋を簡単な方法を用いて安定的に且つ強固に主筋に固定することのできる帯鉄筋固定具、ワンタッチ締め付け式帯鉄筋及び帯鉄筋固定具により帯鉄筋が係合された鉄筋コンクリート部材に関する。
【背景技術】
【０００２】
一般に、柱、せん断壁、橋脚、橋台など各種の鉄筋コンクリート構造物の垂直部材は、主筋の周りに横方向に帯鉄筋を設ける。
【０００３】
前記帯鉄筋は、主筋を固定し、座屈を防ぐとともに、鉛直荷重による主筋の横方向の変形を抑えるなどの役割を果たす。
【０００４】
図１及び図２は、従来の通常の鉄筋コンクリート柱の鉄筋の配筋の詳細を示す平面図であり、図１においては、柱１の外部を取り囲む横方向の外部帯鉄筋１２ａとともに、相対向する主筋１１を結束するように内部帯鉄筋１２ｂが配筋され、図２においては、Ｖ字状の帯鉄筋１２ｃがさらに配筋されている。
【０００５】
しかしながら、通常の外部帯鉄筋１２ａは、結束線で主筋１１に固定せねばならないが、端部に鉤が形成された結束具で作業者が一々結束作業を行うことを余儀なくされるが故に、作業が煩雑であるという欠点がある。
【０００６】
また、図１に示す内部帯鉄筋１２ｂは、端部が所定の角度で折り曲げられて主筋１１を拘束するが、極限荷重に達したときに内部帯鉄筋１２ｂの折り曲げられた標準鉤部分が係脱されて反りモーメントが低下する場合がある。さらに、主筋１１を外部帯鉄筋１２ａに結束した後、内部帯鉄筋１２ｂを設けるが故に、内部帯鉄筋１２ｂが施工難いという欠点がある。
【０００７】
さらに、図２に示すＶ字状の帯鉄筋１２ｃやＵ字状の帯鉄筋１２ｄは、図３に示すように、最大のモーメント強度が上がるというメリットがあるのに対し、帯鉄筋１２ｃ、１２ｄの一方の側にのみ主筋１１が係合されるが故に、主筋１１に固定し難い。このため、図２に示すように、まず、柱１の内部を横切る内部帯鉄筋１２ｂを設け、内部帯鉄筋１２ｂにＶ字状の帯鉄筋１２ｃやＵ字状の帯鉄筋１２ｄを固定するという順序に従って施工を行うため施工が煩雑であるという欠点がある。
【先行技術文献】
【特許文献】
【０００８】
【特許文献１】大韓民国登録実用新案第２０−０１６８５７５号公報
【発明の概要】
【発明が解決しようとする課題】
【０００９】
上述した課題を解決するために、本発明は、鉄筋コンクリート構造において、通常の帯鉄筋だけではなく、Ｖ字状の帯鉄筋やＵ字状の帯鉄筋などの特殊な形状の帯鉄筋を簡単な方法を用いて安定的に且つ強固に主筋に固定することのできる帯鉄筋固定具、ワンタッチ締め付け式帯鉄筋及び帯鉄筋固定具により帯鉄筋が係合された鉄筋コンクリート部材を提供する。
【課題を解決するための手段】
【００１０】
好適な実施形態による本発明は、垂直方向に配筋される主筋に前記主筋と垂直方向に係合されるＶ字状またはＵ字状の帯鉄筋を係合するための帯鉄筋固定具において、前記主筋の外周面を取り囲んで主筋に固定されるように上下が開放された筒状であって、前方の一方の側に主筋が嵌入するための嵌入部が上下に切り欠かれて形成される主筋固定部と、前記主筋固定部の上部の両側または下部の両側に係合されるものであり、Ｖ字状またはＵ字状の帯鉄筋が据え置かれる帯鉄筋据置き部と、を備えるが、前記帯鉄筋据置き部の外側の上端には、Ｖ字状またはＵ字状の帯鉄筋の上部に引っ掛かる係止部が配備されることを特徴とする帯鉄筋固定具を提供する。
【００１１】
他の好適な実施形態による本発明は、前記主筋固定部の上部の後方または下部の後方には、帯鉄筋据置き部がさらに配備されることを特徴とする帯鉄筋固定具を提供する。
【００１２】
他の好適な実施形態による本発明は、前記後方に配備される帯鉄筋据置き部は、側断面がＣ字状に形成されて開放された部分にＶ字状またはＵ字状の帯鉄筋の折曲げ部が嵌入することを特徴とする帯鉄筋固定具を提供する。
【００１３】
他の好適な実施形態による本発明は、前記主筋固定部の内周面には、波形突部が形成されることを特徴とする帯鉄筋固定具を提供する。
【００１４】
他の好適な実施形態による本発明は、上下が開放された筒状であって、前方の一方の側が上下に切り欠かれて嵌入部が形成される補助主筋固定部が前記主筋固定部の上部に所定間隔離れるように配備され、前記主筋固定部及び補助主筋固定部は、連結部により互いに連結されることを特徴とする帯鉄筋固定具を提供する。
【００１５】
他の好適な実施形態による本発明は、前記帯鉄筋据置き部は、鋼材または合成樹脂材により作製されることを特徴とする帯鉄筋固定具を提供する。
【００１６】
他の好適な実施形態による本発明は、前記嵌入部の両端には、主筋の嵌入をガイドするガイド部が配備されることを特徴とする帯鉄筋固定具を提供する。
【００１７】
また、他の好適な実施形態による本発明は、Ｖ字状の帯鉄筋またはＵ字状の帯鉄筋と、前記Ｖ字状の帯鉄筋またはＵ字状の帯鉄筋の折曲げ部に係合される前記帯鉄筋固定具と、を備えることを特徴とするワンタッチ締め付け式帯鉄筋を提供する。
【００１８】
さらに、好適な実施形態による本発明は、鉄筋コンクリート部材内に垂直方向に配筋される主筋と、前記主筋と垂直方向に係合されるＶ字状またはＵ字状の帯鉄筋と、前記Ｖ字状またはＵ字状の帯鉄筋を主筋に固定する前記帯鉄筋固定具と、を備えてなることを特徴とする帯鉄筋固定具により帯鉄筋が係合された鉄筋コンクリート部材を提供する。
【発明の効果】
【００１９】
本発明によれば、鉄筋コンクリート構造において、通常の帯鉄筋だけではなく、Ｖ字状の帯鉄筋やＵ字状の帯鉄筋などの特殊な形状の帯鉄筋を簡単な方法を用いて安定的に且つ強固に主筋に固定することができる。この理由から、帯鉄筋の配筋に際して施工性が向上するという効果がある。
【００２０】
本発明によれば、Ｖ字状の帯鉄筋やＵ字状の帯鉄筋の折曲げ部に帯鉄筋固定具を予め係合する場合、主筋の外部から帯鉄筋をワンタッチで手軽に係着することができる。
【００２１】
本発明によれば、Ｖ字状の帯鉄筋やＵ字状の帯鉄筋を主筋の外部から手軽に締め付けることにより、相対向する外部帯鉄筋を互いに結束するように部材の内部に配筋される内部帯鉄筋の過密が防がれる。なお、帯鉄筋の配筋構造を単純化させることにより、複雑な内部帯鉄筋の施工にかかる手間が軽減される。
【図面の簡単な説明】
【００２２】
【図１】通常の鉄筋コンクリート柱の鉄筋の配筋の詳細を示す平面図である。
【図２】Ｖ字状の帯鉄筋を用いた鉄筋コンクリート柱の鉄筋の配筋の詳細を示す平面図である。。
【図３】帯鉄筋の様々な配筋の詳細によるモーメント及び曲げ率間の関係を示すグラフである。
【図４】筒状の本発明の帯鉄筋固定具を示す斜視図である。
【図５】図４の帯鉄筋固定具により主筋及び帯鉄筋が係合された状態を示す斜視図である。
【図６】帯鉄筋据置き部に係止部が形成された本発明の帯鉄筋固定具の斜視図である。
【図７】補助主筋固定部が形成された本発明の帯鉄筋固定具の斜視図である。
【図８】本発明のワンタッチ締め付け式帯鉄筋を示す斜視図である。
【図９】本発明の帯鉄筋固定具により帯鉄筋が係合された鉄筋コンクリート部材を示す平面図である。
【発明を実施するための形態】
【００２３】
以下、添付図面及び好適な実施形態により本発明について詳細に説明する。
【００２４】
図４は、筒状の本発明の帯鉄筋固定具を示す斜視図であり、図５は、図４の帯鉄筋固定具により主筋及び帯鉄筋が係合された状態を示す斜視図である。
【００２５】
図４及び図５などから明らかなように、本発明の帯鉄筋固定具２は、垂直方向に配筋される主筋１１に前記主筋１１と垂直方向に係合されるＶ字状またはＵ字状の帯鉄筋１２ｃ、１２ｄを係合するためのものであり、前記主筋１１の外周面を取り囲んで主筋１１に固定されるように上下が開放された筒状であって、前方の一方の側に主筋１１が嵌入するための嵌入部２１１が上下に切り欠かれて形成される主筋固定部２１と、前記主筋固定部２１の上部の両側または下部の両側に係合されるものであり、Ｖ字状またはＵ字状の帯鉄筋１２ｃ、１２ｄが据え置かれる帯鉄筋据置き部２２”と、を備えるが、前記帯鉄筋据置き部２２”の外側の上端には、Ｖ字状またはＵ字状の帯鉄筋１２ｃ、１２ｄの上部に引っ掛かる係止部２２１が配備されることを特徴とする。
【００２６】
本発明の帯鉄筋固定具２は、鉄筋コンクリート構造などにおいて、各種の垂直または水平部材の主筋１１に係合される帯鉄筋を固定するためのものである。
【００２７】
本発明の帯鉄筋固定具２は、主筋１１に固定される主筋固定部２１及びＶ字状またはＵ字状の帯鉄筋１２ｃ、１２ｄが据え置かれる帯鉄筋据置き部２２”を備える。
【００２８】
前記主筋固定部２１の一方の側の開放された嵌入部２１１に主筋１１が嵌入するように帯鉄筋固定具２を主筋１１に固定した後、Ｖ字状またはＵ字状の帯鉄筋１２ｃ、１２ｄを帯鉄筋据置き部２２”に係合して帯鉄筋の配設を終える。
【００２９】
この場合、主筋１１の外部から帯鉄筋を嵌め込み易いように前記嵌入部２１１は主筋固定部２１の前方に形成する。
【００３０】
また、弾性により主筋固定部２１が拡開されて主筋１１が嵌入するようにするととも、主筋１１が主筋固定部２１に嵌入した後に強固に固定されるように、前記嵌入部２１１の間隔は、主筋１１の直径よりもやや小さめに形成することが好ましい。
【００３１】
もちろん、まず、帯鉄筋を主筋１１に位置させた後、帯鉄筋固定具２を主筋１１及び帯鉄筋に同時に係合してもよい。
【００３２】
前記帯鉄筋の端部に標準鉤が形成された場合や、Ｖ字状の帯鉄筋１２ｃまたはＵ字状の帯鉄筋１２ｄの場合には、帯鉄筋の折曲げ部が帯鉄筋固定具２により主筋１１に係合されるように構成してもよい。
【００３３】
図４及び図５から明らかなように、前記主筋固定部２１は、上下が開放された筒状であって、前方の一方の側が上下に切り欠かれて嵌入部２１１が形成されるように構成される。
【００３４】
これは、筒状の帯鉄筋固定具に対する実施形態を示すものであり、筒状の主筋固定部２１が主筋１１を取り囲むように係合される。
【００３５】
前記筒状の主筋固定部２１は、所定の面積以上の主筋１１との面積が確保されるので、主筋１１に強固に固定される。
【００３６】
前記主筋固定部２１の上部の後方または下部の後方には、帯鉄筋据置き部２２’がさらに配設される。
【００３７】
この場合、主筋固定部２１の直ぐ隣に帯鉄筋１２が固定される。また、３個所の帯鉄筋据置き部２２’、２２”において帯鉄筋を固定するので、帯鉄筋が下部に傾くことがない。
【００３８】
図５の実施形態に開示されている帯鉄筋１２は、Ｖ字状の帯鉄筋１２ｃである。
【００３９】
前記帯鉄筋据置き部２２’、２２”は、帯鉄筋が同じ平面に位置するように同じ平面の上に位置させる。
【００４０】
特に、前記後方に配備される帯鉄筋据置き部２２’は、側断面がＣ字状に形成されて開放された部分にＶ字状またはＵ字状の帯鉄筋１２ｃ、１２ｄの折曲げ部が嵌入するように構成される。
【００４１】
前記帯鉄筋据置き部２２’は、帯鉄筋の上下において帯鉄筋を拘束するため、コンクリート打設圧やコンクリート上昇圧または作業者の接触などによる外力に対してＶ字状またはＵ字状の帯鉄筋１２ｃ、１２ｄが傾かないように強固に支持する。
【００４２】
前記帯鉄筋据置き部２２’は、後方が開放されるように側断面をＣ字状に形成する。
【００４３】
前記帯鉄筋据置き部２２’、２２”は、所定の弾性を有する鋼材または合成樹脂材により作製される。
【００４４】
この場合、製作し易さ及び耐久性などの側面からみて、主筋固定部２１も帯鉄筋据置き部２２’、２２”と同じ材質により形成することが好ましい。
【００４５】
本発明においては、図示の実施形態について柱１を中心として説明したが、本発明はこれに何ら制限されるものではなく、ビームなど他の構造部材にも本発明が適用可能である。
【００４６】
また、図示の実施形態について、Ｖ字状の帯鉄筋１２ｃまたはＵ字状の帯鉄筋１２ｄを中心として説明したが、主筋１１の外部を取り囲む外部帯鉄筋１２ａまたは相対向する外部帯鉄筋１２ａを結束するように設けられる内部帯鉄筋１２ｂなど通常の帯鉄筋にも本発明が適用可能である。
【００４７】
図６は、帯鉄筋据置き部に係止部が形成された本発明の帯鉄筋固定具の斜視図である。図６に示すように、前記両側に配備される帯鉄筋据置き部２２”の外側の上端には、Ｖ字状またはＵ字状の帯鉄筋１２ｃ、１２ｄの上端に引っ掛かる係止部２２１が配備される。
【００４８】
前記係止部２２１は、帯鉄筋据置き部２２”の上端から延設されるものであり、帯鉄筋の上下において帯鉄筋を拘束する。このため、コンクリート打設圧やコンクリート上昇圧または作業者の接触などによる外力に対してＶ字状またはＵ字状の帯鉄筋１２ｃ、１２ｄが傾かないように強固に支持する。
【００４９】
前記主筋固定部２１の内周面には、波形突部２１２が形成される。
【００５０】
前記波形突部２１２は、主筋固定部２１内において主筋１１の位置を固定して帯鉄筋固定具２が外力により回転されることを防ぐ。
【００５１】
前記嵌入部２１１の両端には、主筋１１の嵌入をガイドするガイド部２３が配備される。
【００５２】
前記ガイド部２３は、嵌入部２１１の両端から一体に延設されるものであり、主筋１１に主筋固定部２１が係合され易いように主筋１１の根入をガイドする。
【００５３】
図７は、補助主筋固定部が形成された本発明の帯鉄筋固定具の斜視図である。図７に示すように、本発明の帯鉄筋固定具２は、上下が開放された筒状であって、前方の一方の側が上下に切り欠かれて嵌入部２４１が形成される補助主筋固定部２４が前記主筋固定部２１の上部に所定間隔離れるように配備され、前記主筋固定部２１及び補助主筋固定部２４は、連結部により互いに連結されるように構成される。
【００５４】
前記補助主筋固定部２４は、主筋固定部２１に加えて、主筋固定部２１の上部において主筋１１に係合されるので、主筋１１をより一層強固に固定する。
【００５５】
前記補助主筋固定部２４の嵌入部２４１も、主筋固定部２１の嵌入部２１１と同様に、主筋固定部２１の前方に形成される。なお、嵌入部２４１の間隔は、主筋１１の直径よりもやや小さめに形成することが好ましい。
【００５６】
前記補助主筋固定部２４が係合された帯鉄筋固定具２の場合にも、主筋固定部２１の上部の両側及び後方にそれぞれ帯鉄筋据置き部２２’、２２”が配備され、後方に配備される帯鉄筋据置き部２２’の側断面の形状をＣ字状にするか、或いは、両側に配備される帯鉄筋据置き部２２”の上端に係止部２２１を配設するなどして外力などにより帯鉄筋が傾かないようにする。
【００５７】
図８は、本発明のワンタッチ締め付け式帯鉄筋を示す斜視図である。図８に示すように、本発明のワンタッチ締め付け式帯鉄筋は、Ｖ字状の帯鉄筋１２ｃまたはＵ字状の帯鉄筋１２ｄと、前記Ｖ字状の帯鉄筋１２ｃまたはＵ字状の帯鉄筋１２ｄの折曲げ部に係合される前記帯鉄筋固定具２と、を備えることを特徴とする。
【００５８】
前記ワンタッチ締め付け式帯鉄筋は、予め帯鉄筋固定具２にＶ字状の帯鉄筋１２ｃまたはＵ字状の帯鉄筋１２ｄを係合して現場に搬入可能である。
【００５９】
このため、現場では、帯鉄筋固定具２をワンタッチで主筋１１と係合させるという簡単な工程を用いて、Ｖ字状の帯鉄筋１２ｃまたはＵ字状の帯鉄筋１２ｄの固定を終えることができる。
【００６０】
前記帯鉄筋固定具２は、前記筒状の帯鉄筋固定具である。
【００６１】
図９は、本発明の帯鉄筋固定具により帯鉄筋が係合された鉄筋コンクリート部材を示す平面図である。図９の（ａ）及び（ｂ）に示すように、本発明の帯鉄筋固定具により帯鉄筋が係合された鉄筋コンクリート部材は、鉄筋コンクリート部材内に垂直方向に配筋される主筋１１と、前記主筋１１と垂直方向に係合されるＶ字状またはＵ字状の帯鉄筋１２ｃ、１２ｄと、前記Ｖ字状またはＵ字状の帯鉄筋１２ｃ、１２ｄを主筋１１に固定する前記帯鉄筋固定具２と、を備えてなることを特徴とする。
【００６２】
従来には、Ｖ字状の帯鉄筋１２ｃやＵ字状の帯鉄筋１２ｄの両端を内部帯鉄筋１２ｂに結束線で結束する過程が必要であったが、本発明の場合には、Ｖ字状の帯鉄筋１２ｃやＵ字状の帯鉄筋１２ｄが複数の帯鉄筋据置き部２２”に据え置かれるので、Ｖ字状の帯鉄筋１２ｃやＵ字状の帯鉄筋１２ｄを支持する別途の帯鉄筋が不要である。
【００６３】
このため、帯鉄筋の配筋構造を単純化させて施工性を向上させることができる。
【００６４】
図９の（ａ）及び（ｂ）から明らかなように、Ｖ字状の帯鉄筋１２ｃやＵ字状の帯鉄筋１２ｄは、主筋１１の外側を取り囲みながら所定の定着長さを確保するように、両端部が部材の内側に所定の長さだけ突出する。
【００６５】
隣り合うＶ字状の帯鉄筋１２ｃやＵ字状の帯鉄筋１２ｄは、互いに干渉しないように配置する。
【００６６】
前記帯鉄筋固定具２は、筒状の帯鉄筋固定具である。
【符号の説明】
【００６７】
１：      柱
１１：    主筋
１２：    帯鉄筋
１２ａ：  外部帯鉄筋
１２ｂ：  内部帯鉄筋
１２ｃ：  Ｖ字状の帯鉄筋
１２ｄ：  Ｕ字状の帯鉄筋
２：      帯鉄筋固定具
２１：    主筋固定部
２１１：  嵌入部
２１２：  波形突部
２２’、２２”：帯鉄筋据置き部
２２１：  係止部
２３：    ガイド部
２４：    補助主筋固定部
２４１：  嵌入部
２６：    連結部
Ｃ：      コンクリート
【図１】
2017515997.tif 000003
【図２】
2017515997.tif 000004
【図３】
2017515997.tif 000005
【図４】
2017515997.tif 000006
【図５】
2017515997.tif 000007
【図６】
2017515997.tif 000008
【図７】
2017515997.tif 000009
【図８（ａ）】
2017515997.tif 000010
【図８（ｂ）】
2017515997.tif 000011
【図９】
2017515997.tif 000012
【図１０】
2017515997.tif 000013
【図１１（ａ）】
2017515997.tif 000014
【図１１（ｂ）】
2017515997.tif 000015
【図１２】
2017515997.tif 000016
【図１３】
2017515997.tif 000017
【図１４】
2017515997.tif 000018
【図１５（ａ）】
2017515997.tif 000019
【図１５（ｂ）】
2017515997.tif 000020
【国際調査報告】
2017515997.tif 000021
2017515997.tif 000022
2017515997.tif 000023
2017515997.tif 000024